(57)【特許請求の範囲】
【請求項１】
複数のアンテナを用いてデータの送信を行う無線通信装置であって、
生成した一のデータリンク層制御情報から、複数のデータリンク層制御情報を生成するデータリンク層制御情報生成手段と、
前記データリンク層制御情報生成手段により生成されたデータリンク層制御情報に基づいて、複数のアンテナで送信する、前記データリンク層制御情報が含まれる第１のデータユニットを生成する第１のデータユニット生成手段と、
前記第１のデータユニットに対して適用変調符号化処理を行う物理層処理手段と
を有する無線通信装置。
【請求項２】
複数のアンテナを用いてデータの送信を行う無線通信装置であって、
一のデータリンク層制御情報から生成された複数のデータリンク層制御情報に基づいて、該データリンク層制御情報が含まれる第１のデータユニットを生成する第１のデータユニット生成手段と、
前記第１のデータユニットに対して適用変調符号化処理を行う物理層処理手段と、
前記第１のデータユニットに、データリンク層制御情報が含まれない他の第１のデータユニットよりも高い送信電力を割り当てる送信電力制御手段と
を有する無線通信装置。
【請求項３】
複数のアンテナを用いてデータの送信を行う無線通信装置であって、
一のデータリンク層制御情報から生成された複数のデータリンク層制御情報に基づいて、該データリンク層制御情報が含まれる第１のデータユニットを生成する第１のデータユニット生成手段と、
前記第１のデータユニットに対して適用変調符号化処理を行う物理層処理手段と
を有し、
前記第１のデータユニット生成手段は、第２のデータユニットに含まれる優先度情報に基づいて第２のデータユニットにデータリンク層制御情報を付加することにより第１のデータユニットを生成する無線通信装置。
【請求項４】
請求項１ないし３のいずれか１項に記載の無線通信装置において、
前記データリンク層制御情報には、MAC制御エレメントが含まれる無線通信装置。
【請求項５】
請求項１に記載の無線通信装置において、
前記データリンク層制御情報生成手段は、生成したデータリンク層制御情報を複製することにより、複数のデータリンク層制御情報を生成する無線通信装置。
【請求項６】
請求項１に記載の無線通信装置において、
前記データリンク層制御情報生成手段は、生成したデータリンク層制御情報を分割することにより、複数のデータリンク層制御情報を生成する無線通信装置。
【請求項７】
請求項１に記載の無線通信装置において、
前記物理層処理手段は、前記複数のアンテナで送信する第１のデータユニットのうち、データリンク層制御情報のみが含まれる第１のデータユニットに、他の第１のデータユニットよりも低い符号化率で符号化処理を行う無線通信装置。
【請求項８】
複数のアンテナを用いてデータの送信を行う無線通信装置における通信方法であって、
生成した一のデータリンク層制御情報から、複数のデータリンク層制御情報を生成し、
該生成されたデータリンク層制御情報に基づいて、複数のアンテナで送信する、前記データリンク層制御情報が含まれる第１のデータユニットを生成し、
前記第１のデータユニットに対して適用変調符号化処理を行う
通信方法。
【請求項９】
複数のアンテナを用いてデータの送信を行う無線通信装置における通信方法であって、
一のデータリンク層制御情報から生成された複数のデータリンク層制御情報に基づいて、該データリンク層制御情報が含まれる第１のデータユニットを生成し、
前記第１のデータユニットに対して適用変調符号化処理を行い、
前記第１のデータユニットに、データリンク層制御情報が含まれない他の第１のデータユニットよりも高い送信電力を割り当てる
無線通信方法。
【請求項１０】
複数のアンテナを用いてデータの送信を行う無線通信装置における通信方法であって、
一のデータリンク層制御情報から、複数のデータリンク層制御情報を生成し、
第２のデータユニットに含まれる優先度情報に基づいて、優先度が高い第２のデータユニットに該データリンク層制御情報を付加することにより、該データリンク層制御情報が含まれる第１のデータユニットを生成し、
前記第１のデータユニットに対して適用変調符号化処理を行う
通信方法。
【発明の詳細な説明】
【技術分野】
【０００１】
本発明は、複数のアンテナを用いてデータの送受信を行うMIMO(Multiple  Input  Multiple  Output)伝送を行う無線通信に関連し、物理層より上位に位置する層、特にMAC（Medium  Access  Control）層を使用して制御情報を伝送する無線通信装置及び通信方法に関する。
【背景技術】
【０００２】
現在、第３世代移動通信システムの次世代の移動通信システムにおける無線アクセス方式について、3GPP（3rd  Generation  Partnership  Project）において審議がされている。この次世代の移動通信システムは、LTE(Long  Term  Evolution）の呼称で呼ばれてもよい。また、この次世代の移動通信システムは、Evolved  UTRA  and  UTRANと呼ばれることもある。
【０００３】
LTEでは、MAC層においても、制御情報を導入することが決定され、MAC層に制御情報が定義されている（例えば、非特許文献１参照）。この制御情報は、MAC制御エレメント（MAC  Control  Element）と呼ばれてもよい。
【０００４】
頻繁に伝送する必要のある制御情報はL1層（レイヤ１）で行う必要がある。また、長い周期で伝送してもよい制御情報はMAC層より上位層で送信されてもよい。上位層で送信される場合には、無線リソースを消費してしまう。このため、LTEでは、MAC層で、ある程度頻繁に制御情報を伝送することを目的として、MAC層に制御情報が導入された。
【０００５】
LTEで定義されているプロトコルスタック(protocol  stack)について、図１を参照して説明する（例えば、非特許文献２参照）。LTEが適用される移動通信システムには、ユーザ装置(UE:  User  Equipment)が含まれる。ユーザ装置のプロトコルスタックには、PHY (physical  layer)層、MAC(Medium  Access  Control)層、RLC(radio  link  control)層、PDCP(Packet  Data  Convergence  Protocol)層、RRC(radio  resource  control)層及びNAS(Non-Access  Stratum)が含まれる。
【０００６】
また、LTEが適用される移動通信システムには、基地局装置(eNB:  eNodeB)が含まれる。基地局装置のプロトコルスタックには、PHY層、MAC層、RLC層、PDCP層及びRRC層が含まれる。
【０００７】
また、LTEが適用される移動通信システムには、MME(Mobility  Management  Entity)が含まれる場合もある。MMEのプロトコルスタックには、NASが含まれる。
【０００８】
上述したプロトコルスタックにおいて、PHY(physical  layer)層は、L1（レイヤー１）と呼ばれてもよい。また、MAC層、RLC層及びPDCP層は、データリンク層。データリンク層はL2（レイヤ２）と呼ばれてもよい。
【０００９】
MAC層のデータ構成について、図２を参照して説明する。MACプロトコルデータユニット(PDU:  Protocol  Data  Unit)は、MACヘッダ(header)と、MACサービスデータユニット(SDU:  Service  Data  Unit)と、MAC制御エレメント(MAC  Control  element)と、パディング(padding)とを含む。MACサービスデータユニット、MAC制御エレメントはなくてもよい。また、パディングはオプションである。
【００１０】
MAC  PDUのヘッダには、１個以上のMAC  PDUのサブヘッダ(sub-header)が含まれる。各サブヘッダは、MAC  SDU、MAC制御エレメント又はパディングに対応する。MAC  SDUに対応するMAC  PDUサブヘッダは、複数のヘッダフィールドを含む。この複数のヘッダフィールドには、LCID/E/R/R/F/Lが含まれる。
【００１１】
次に、MAC制御エレメントの付与方法について、図３を参照して説明する。
【００１２】
RLC  PDUが分割され（切り出され）、MAC  SDUが構成される。そして、該MAC  SDUにMAC制御エレメント及びヘッダが付加され、MAC  PDUが生成される。そして、該MAC  PDUがトランスポートブロックサイズでアンテナにおいて送信される。このトランスポートブロックサイズは、コードワード(CW:  Code  Word)と呼ばれてもよい。ここでは、分割されたRLC  PDUからMAC  SDUが生成される場合について説明したが、複数のRLC  PDUを結合し、該結合された複数のRLC  PDUからMAC  SDUが生成されるようにしてもよい。
【００１３】
また、LTEでは複数のアンテナから異なる情報を伝送するMIMO伝送技術の導入が決定されている。このMIMO伝送技術の導入により、更なる高速伝送を実現することができる。さらに、マルチコードワード(Multi  Code  Word)技術の導入も決定されている（例えば、非特許文献３参照）。マルチコードワードでは、複数アンテナから異なる情報が送信される際に、MAC層から単一の情報ではなく、複数の情報をPHY層で独立に符号化処理し、独立の適応変調符号化処理が適用される。また、再送制御もアンテナ毎に独立に行われる。適応変調符号化処理は、AMC(Adaptive  Modulation  and  Coding)と呼ばれてもよい。例えば、図４に示すように、RLC  PDUが分割され（切り出され）、該分割されたRLC  PDU(MAC  SDU)から各アンテナで伝送されるMAC  PDUが生成される。そして、各アンテナで伝送されるMAC  PDUはトランスポートブロックサイズで、各アンテナにおいて送信される。図４には、アンテナが２本の場合について示される。この場合、トランスポートブロックサイズ１及び２で、それぞれアンテナ１及び２から伝送される。
【先行技術文献】
【非特許文献】
【００１４】
【非特許文献１】3GPP  TS36.321
【非特許文献２】3GPP  TS36.300
【非特許文献３】Yasuaki  YUDA,  Katsuhiko  HIRAMATSU,  Masayuki  HOSHINO,  and  Koichi  HOMMA  "A  Study  on  Link  Adaptation  Scheme  with  Multiple  Code  Words  for  Spectral  Efficiency  Improvement  on  OFDM-MIMO  Systems",  IEICE  TRANS.  FUNDAMENTALS,  VOL.E90-A,  NO.11  NOVEMBER  2007
【発明の概要】
【発明が解決しようとする課題】
【００１５】
しかし、上述した背景技術には以下に示すような問題点がある。
【００１６】
マルチコードワード技術により、MIMO伝送を行う場合のMAC制御エレメントの伝送方法については規定されていない。
【００１７】
例えば、複数のアンテナのうち、１本のアンテナからMAC制御エレメントを送信した場合には、受信側では、該MAC制御エレメントを伝送したコードワードで誤りが生じた場合に、該MAC制御エレメントの再送に時間がかかる。
【００１８】
例えば、図５に示すように、RLC  PDUが分割され（切り出され）、該分割されたRLC  PDU(MAC  SDU)から各アンテナで伝送されるMAC  PDUが生成されるが、各アンテナで伝送されるMAC  PDUのうち、１本のアンテナで伝送されるMAC  PDUには、MAC制御エレメントが含まれる。そして、各アンテナで伝送されるMAC  PDUはトランスポートブロックサイズで各アンテナにおいて送信される。
【００１９】
L1層で伝送される制御情報のように、頻繁に伝送される情報であれば、誤りが生じても送信周期が短いため、すぐにその誤りが生じた情報を伝送（再送）することができる。しかし、L1層で伝送される制御情報の送信周期を超え、上位層で伝送される制御情報の送信周期未満である、ある程度頻繁に伝送される制御情報（L2制御情報）に誤りが生じた場合にも再送又は送信周期まで待つ必要があるが、該再送又は送信周期が長いため、遅延の影響が大きくなる。
【００２０】
そこで、開示の無線通信装置及び通信方法では、データリンク層（L2層）で伝送される制御情報の受信誤りを低減することができる無線通信装置及び通信方法を提供することを目的とする。
【課題を解決するための手段】
【００２１】
開示の無線通信装置は、
複数のアンテナを用いてデータの送信を行う無線通信装置であって、
生成した一のデータリンク層制御情報から、複数のデータリンク層制御情報を生成するデータリンク層制御情報生成手段と、
前記データリンク層制御情報生成手段により生成されたデータリンク層制御情報に基づいて、複数のアンテナで送信する、前記データリンク層制御情報が含まれる第１のデータユニットを生成する第１のデータユニット生成手段と、
前記第１のデータユニットに対して適用変調符号化処理を行う物理層処理手段と
を有する。
【発明の効果】
【００２２】
開示の無線通信装置及び通信方法によれば、データリンク層で伝送される制御情報の受信誤りを低減することができる効果を奏する。
【図面の簡単な説明】
【００２３】
【図１】次世代の移動通信システムにおけるプロトコルスタックの一例を示す説明図である。
【図２】MAC  PDUの構成を示す説明図である。
【図３】MAC制御エレメントの付加方法を示す説明図である。
【図４】マルチコードワード技術を示す説明図である。
【図５】マルチコードワード技術を示す説明図である。
【図６】一実施例に係る無線通信装置を示す部分ブロック図である。
【図７】一実施例に係る無線通信装置におけるMAC処理部を示す部分ブロック図である。
【図８】一実施例に係る無線通信装置における処理を示す説明図である。
【図９】一実施例に係る無線通信装置におけるMAC処理部を示す部分ブロック図である。
【図１０】一実施例に係る無線通信装置の動作を示すフロー図である。
【図１１】一実施例に係る無線通信装置における処理を示す説明図である。
【図１２】一実施例に係る無線通信装置における処理を示す説明図である。
【図１３】一実施例に係る無線通信装置における処理を示す説明図である。
【図１４】一実施例に係る無線通信装置の動作を示すフロー図である。
【図１５】一実施例に係る無線通信装置における処理を示す説明図である。
【図１６】一実施例に係る無線通信装置の動作を示すフロー図である。
【図１７】一実施例に係る無線通信装置における処理を示す説明図である。
【図１８】一実施例に係る無線通信装置の動作を示すフロー図である。
【発明を実施するための形態】
【００２４】
次に、本発明を実施するための最良の形態を、以下の実施例に基づき図面を参照しつつ説明する。
【００２５】
なお、実施例を説明するための全図において、同一機能を有するものは同一符号を用い、繰り返しの説明は省略する。
（第１の実施例）
実施例の一つに係る無線通信装置が適用される無線通信システムの一例について説明する。
【００２６】
本実施例に係る無線通信システムは、複数のアンテナを用いてデータの送受信を行う、例えばMIMO伝送技術が適用される。また、本実施例に係る無線通信システムは、マルチコードワード技術が適用される。このような特徴を有する無線通信システムとして、LTE(Long  Term  Evolution)が適用されるシステムが挙げられる。そこで、本実施例では、一例として、LTEが適用されるシステムについて説明するが、上述した特徴を有するシステムであれば、LTEが適用されるシステム以外にも適用可能である。このLTEが適用されるシステムは、上述したようにEvolved  UTRA  and  UTRANと呼ばれてもよい。
【００２７】
無線通信システムは、ユーザ装置(UE:  User  Equipment)と、基地局装置(eNB:  eNodeB)とを有する。移動局装置及び基地局装置は、無線通信装置を有する。ユーザ装置は、移動局装置と呼ばれてもよい。
【００２８】
LTEの無線通信システムは、無線アクセス方式として、下りリンクについては周波数分割多重(OFDM:  Orthogonal  Frequency  Division  multiplexing)、上りリンクについてはシングルキャリア−周波数分割多元接続(SC-FDMA:  Single-Carrier  Frequency  Division  Multiple  Access)が適用される。OFDMは、周波数帯域を複数の狭い周波数帯域（サブキャリア）に分割し、各周波数帯上にデータを載せて伝送を行う方式である。SC-FDMAは、周波数帯域を分割し、複数の端末間で異なる周波数帯域を用いて伝送することで、端末間の干渉を低減することができる伝送方式である。
【００２９】
本実施例に係る無線通信装置１００について、図６を参照して説明する。
【００３０】
本実施例に係る無線通信装置１００は、移動局装置及び基地局装置に備えられる。言い換えれば、移動局装置及び基地局装置は、無線通信装置１００を有する。無線通信装置１００は、複数のアンテナを有し、該アンテナを使用してMIMO伝送を行う。例えば、無線通信装置１００は、ｎ（ｎは、ｎ＞０の整数）本のアンテナを有する。無線通信装置１００が移動局装置に備えられた場合には、該無線通信装置は、基地局装置によるスケジューリングに従って、上りリンクの信号を送信する。また、無線通信装置１００が基地局装置に備えられた場合には、該無線通信装置は、スケジューリングを行い、下りリンクの信号を送信する。例えば、基地局装置に備えられた無線通信装置１００は、上位層からの信号にRLC処理、MAC処理、PHY処理を行い、各アンテナから送信する。
【００３１】
無線通信装置１００は、上位層処理部１０２を有する。無線通信装置１００が基地局装置に備えられた場合には、上位層処理部１０２は、上位局から送信された信号に対して、上位層に関する処理を行う。ここで、上位局には、MME(Mobility  Management  Entity)が含まれる。また、無線通信装置１００が移動局装置に備えられた場合には、上位層処理部１０２は、ユーザにより入力された情報及び/又はユーザにより発声された音声信号、また他の音に基づいて生成された信号に対して、上位層に関する処理を行う。また、上位層にはRRC(radio  resource  control)層が含まれる。そして、上位層処理部１０２は、上位層に関する処理を行った信号を後述するRLC処理部１０４に入力する。
【００３２】
無線通信装置１００は、RLC処理部１０４を有する。RLC処理部１０４は、上位層処理部１０２により入力された信号に対して、RLC層に関する処理を行う。そして、RLC処理部１０４は、RLC層に関する処理を行った信号(RLC  PDU)を後述するMAC処理部１０６に入力する。
【００３３】
無線通信装置１００は、MAC処理部１０６を有する。MAC処理部１０６は、RLC処理部１０４により入力された信号(RLC  PDU)に対して、MAC層に関する処理を行う。例えば、MAC処理部１０６は、RLC  PDUを分割する処理（切り出す処理）を行い、MAC  SDUを生成する。MAC  SDUは複数であってもよい。そして、MAC処理部１０６は、生成したMAC  SDUにMAC制御エレメント及びヘッダを付加し、MAC  PDUを生成する。そして、MAC処理部１０６は、該MAC  PDUを送信するアンテナ毎にトランスポートブロックサイズで、各アンテナに対応するPHY処理部１０８１−１０８ｎに入力する。ここでは、MAC処理部１０６が、RLC  PDUを分割し、分割したRLC  PDUからMAC  SDUを生成する場合について説明したが、複数のRLC  PDUを結合し、該複数のRLC  PDUからMAC  SDUを生成するようにしてもよい。これは、RLC  PDUの長さが短い場合に好適である。
【００３４】
無線通信装置１００は、PHY処理部１０８１−１０８ｎを有する。PHY処理部１０８１−１０８ｎは、MAC処理部１０６により入力された信号(MAC  PDU)に対して、PHY層に関する処理を行う。例えば、PHY処理部１０８１−１０８ｎは、適応変調符号化処理(AMC:  Adaptive  Modulation  and  Coding)を行う。この適応変調符号化処理では、無線状態に応じて変調方式が選択される。例えば、無線状態のよい環境では高い変調方式が選択される。その結果、高いデータレートで送信される。一方、無線状態の悪い環境で低い変調方式が選択される。その結果、確実にデータ伝送される。この適応変調符号化処理は、各アンテナに対応するPHY処理部１０８１−１０８ｎにおいて、異なる条件で行われてもよい。例えば、異なる変調条件で、変調処理が行われてもよい。また、異なる符号化率で符号化処理が行われてもよい。いわゆる、マルチコードワード技術が適用されてもよい。そして、PHY処理部１０８１−１０８ｎは、適応変調符号化処理が行われた信号を送信部１１０に入力する。
【００３５】
無線通信装置１００は、送信部１１０を有する。送信部１１０は、PHY処理部１０８１−１０８ｎにより入力された信号の送信処理を行う。例えば、送信部１１０は、送信電力制御を行う。送信部１１０は、アンテナ毎に異なる送信電力を割り当てるようにしてもよい。そして、送信部１１０は、アンテナを介して信号を送信する。
【００３６】
次に、本実施例に係る無線通信装置１００におけるMAC処理部１０６について詳細に説明する。
【００３７】
基地局装置に備えられる無線通信装置１００におけるMAC処理部１０６ついて、図７を参照して説明する。
【００３８】
MAC処理部１０６は、MAC  SDU処理部１０６１を有する。MAC  SDU処理部１０６１は、RLC処理部１０４により入力された信号(RLC  PDU)を分割する処理を行い、分割されたRLC  PDUを後述するMAC  PDU生成部１０６４に入力する。例えば、図８に示すように、MAC  SDU処理部１０６１は、入力されたRLC  PDUを分割することによりMAC  SDUを生成し、生成したMAC  SDUをMAC  PDU生成部１０６４に入力する。MAC  SDUはコードワード(CW:  Code  Word)と呼ばれてもよい。図８には、無線通信装置１００が２本のアンテナを有する場合について示される。この場合、RLC処理部１０４により入力された信号(RLC  PDU)が分割され、分割されたRLC  PDUが２個生成される。生成した２個のRLC  PDUは、MAC  SDUとしてMAC  PDU生成部１０６４に入力される。
【００３９】
また、MAC  SDU処理部１０６１は、RLC処理部１０４により入力された信号(RLC  PDU)を結合する処理を行い、結合されたRLC  PDUをMAC  PDU生成部１０６４に入力するようにしてもよい。例えば、複数のRLC  PDUを結合することによりMAC  SDUを生成し、該MAC  SDUをMAC  PDU生成部１０６４に入力する。
【００４０】
MAC処理部１０６は、MAC制御エレメント処理部１０６２を有する。MAC制御エレメント処理部１０６２は、レイヤー２(L2)で送信されるレイヤー２(L2)制御情報（データリンク層制御情報）を生成する。レイヤー２制御情報にはMAC制御エレメントが含まれる。本実施例では、レイヤー２制御情報の一例としてMAC制御エレメントが送信される場合について説明するが、レイヤー２で送信される制御情報であればMAC制御エレメント以外の制御情報が含まれてもよい。そして、生成したMAC制御エレメントをMAC制御エレメント付与部１０６３に入力する。例えば、MAC制御エレメントには、ランダムアクセスチャネルメッセージ２(RACH(random  access  channel)  Message  ２)、タイミングアドバンス(Timing  Advance)、間欠受信情報(DRX:  Discontinuous  Reception)及びパディングのうち少なくとも１つの情報が含まれる。
【００４１】
MAC処理部１０６は、MAC制御エレメント付与部１０６３を有する。MAC制御エレメント付与部１０６３は、MAC制御エレメント処理部１０６２により入力されたMAC制御エレメントから、MAC  SDUに付与するための複数のMAC制御エレメントを生成する。例えば、MAC制御エレメント付与部１０６３は、MAC制御エレメント処理部１０６２により入力されたMAC制御エレメントを複製（コピー）することにより、複数のMAC制御エレメントを生成するようにしてもよい。例えば、MAC制御エレメント付与部１０６３は、MAC制御エレメントを複製することにより、アンテナの数と同数のMAC制御エレメントを生成するようにしてもよい。また、アンテナ数が３本以上である場合には、複製されるMAC制御エレメントの数が複数であればアンテナ数と同じでなくてもよい。そして、MAC制御エレメント付与部１０６３は、生成した複数のMAC制御エレメントをMAC  PDU生成部１０６４に入力する。
【００４２】
MAC処理部１０６は、スケジューラ１０６５を有する。スケジューラ１０６５は、移動局装置により送信された下りリンクの品質情報に基づいて、下りリンクにおける共有チャネルのスケジューリングを行う。この下りリンクの品質情報には、チャネルクオリティインジケータ(CQI:  Channel  Quality  Indicator)が含まれる。
【００４３】
MAC処理部１０６は、再送制御部１０６６を有する。再送制御部１０６６は、L２制御情報の再送制御を行う。
【００４４】
MAC処理部１０６は、MAC  PDU生成部１０６４を有する。MAC  PDU生成部１０６４は、MAC  SDU処理部１０６１により入力されたMAC  SDUにMAC制御エレメント付与部１０６３により入力されたMAC制御エレメントを付加する。そして、MAC  PDU生成部１０６４は、MAC制御エレメントが付加されたMAC  SDUにヘッダを付加し、MAC  PDUを生成する。例えば、MAC  PDU生成部１０６は、MAC  SDUにMAC制御エレメント及びヘッダを付加し、各アンテナで送信するMAC  PDUを生成する。例えば、図８に示すように、MAC  PDU生成部１０６４は、MAC  SDUにMAC制御エレメントを付加する。そして、MAC  PDU生成部１０６４は、MAC制御エレメントが付加されたMAC  SDUにヘッダを付与し、MAC  PDUを生成する。生成されたMAC  PDUは、トランスポートブロックサイズに加工され、アンテナ毎にPHY処理部１０８１−１０８ｎに入力される。図８には、無線通信装置１００が２本のアンテナを有する場合について示される。この場合、２個のMAC  SDUにそれぞれMAC制御エレメント及びヘッダが付加され、MAC  PDUが生成される。ここで、MAC制御エレメントが含まれるMAC  PDUが複数であれば、MAC制御エレメントが含まれないMAC  PDUが生成されてもよい。
【００４５】
移動局装置に備えられる無線通信装置１００におけるMAC処理部１０６について、図９を参照して説明する。
【００４６】
MAC処理部１０６は、MAC  SDU処理部１０６１を有する。MAC  SDU処理部１０６１は、RLC処理部１０４により入力された信号(RLC  PDU)を分割する処理を行い、分割されたRLC  PDUをMAC  PDU生成部１０６４に入力する。例えば、図７を参照して説明した無線通信装置と同様に、MAC  SDU処理部１０６１は、入力されたRLC  PDUを分割することにより複数のMAC  SDUを生成し、生成した複数のMAC  SDUをMAC  PDU生成部１０６４に入力する。MAC  SDUはコードワード(CW:  Code  Word)と呼ばれてもよい。図８を参照して説明したように、RLC処理部１０４により入力された信号(RLC  PDU)が分割され、２個の分割されたRLC  PDUが生成される。生成された２個のRLC  PDUは、MAC  SDUとしてMAC  PDU生成部１０６４に入力される。
【００４７】
また、MAC  SDU処理部１０６１は、RLC処理部１０４により入力された信号(RLC  PDU)を結合する処理を行い、結合されたRLC  PDUをMAC  PDU生成部１０６４に入力するようにしてもよい。例えば、複数のRLC  PDUを結合することによりMAC  SDUを生成し、該MAC  SDUをMAC  PDU生成部１０６４に入力する。
【００４８】
MAC処理部１０６は、MAC制御エレメント処理部１０６２を有する。MAC制御エレメント処理部１０６２は、レイヤー２(L2)で送信されるレイヤー２(L2)制御情報を生成する。レイヤー２制御情報にはMAC制御エレメントが含まれる。本実施例では、レイヤー２制御情報の一例としてMAC制御エレメントが送信される場合について説明するが、レイヤー２で送信される制御情報であればMAC制御エレメント以外の制御情報が含まれてもよい。そして、生成したMAC制御エレメントをMAC制御エレメント付与部１０６３に入力する。例えば、MAC制御エレメントには、ショートバッファステータスレポート(Short  Buffer  Status  Report)、ロングバッファステータスレポート(Long  Buffer  Status  Report)及びパディングのうち少なくとも１つの情報が含まれる。
【００４９】
MAC処理部１０６は、MAC制御エレメント付与部１０６３を有する。MAC制御エレメント付与部１０６３は、MAC制御エレメント処理部１０６２により入力されたMAC制御エレメントからMAC  SDUに付与するための複数のMAC制御エレメントを生成する。例えば、MAC制御エレメント付与部１０６３は、MAC制御エレメント処理部１０６２により入力されたMAC制御エレメントを複製（コピー）することにより、複数のMAC制御エレメントを生成するようにしてもよい。例えば、MAC制御エレメント付与部１０６３は、MAC制御エレメントを複製することにより、アンテナの数と同数のMAC制御エレメントを生成するようにしてもよい。また、アンテナ数が３本以上である場合には、複製されるMAC制御エレメントの数が複数であればアンテナ数と同じでなくてもよい。そして、MAC制御エレメント付与部１０６３は、生成した複数のMAC制御エレメントをMAC  PDU生成部１０６４に入力する。
【００５０】
MAC処理部１０６は、再送制御部１０６６を有する。再送制御部１０６６は、L２制御情報の再送制御を行う。
【００５１】
MAC処理部１０６は、MAC  PDU生成部１０６４を有する。MAC  PDU生成部１０６４は、MAC  SDU処理部１０６１により入力されたMAC  SDUにMAC制御エレメント付与部１０６３により入力されたMAC制御エレメントを付加する。そして、MAC  PDU生成部１０６４は、MAC制御エレメントが付加されたMAC  SDUにヘッダを付加し、MAC  PDUを生成する。例えば、MAC  PDU生成部１０６は、MAC  SDUにMAC制御エレメント及びヘッダを付加し、各アンテナで送信するMAC  PDUを生成する。ここで、MAC制御エレメント含まれるMAC  PDUが複数であれば、MAC制御エレメントが含まれないMAC  PDUが生成されてもよい。
【００５２】
次に、本実施例に係る無線通信装置１００の動作について、図１０を参照して説明する。
【００５３】
MAC制御エレメント処理部１０６２は、MAC制御エレメントを生成する（ステップＳ１００２）。
【００５４】
MAC制御エレメント付与部１０６３は、ステップＳ１００２において生成されたＭＡＣ制御エレメントを複製することにより、複数のMAC制御エレメントを生成する（ステップＳ１００４）。
【００５５】
MAC  PDU生成部１０６４は、MAC  SDU処理部１０６１においてアンテナ毎に生成されたMAC  SDUにMAC制御エレメント及びヘッダを付加することにより、MAC  PDUを生成する（ステップＳ１００６）。
【００５６】
PHY処理部１０８１−１０８ｎは、入力されたMAC  PDUに対して適応変調符号化処理を行う（ステップＳ１００８）。
【００５７】
送信部１１０は、適応変調符号化処理が行われたMAC  PDUに対して送信電力制御を行い送信する（ステップＳ１０１０）。
【００５８】
本実施例によれば、MAC制御エレメントが複数のアンテナにより送信されるので、受信側におけるMAC制御エレメントの受信誤りを低減できる。具体的には、MAC制御エレメントが送信される複数のアンテナのうち、いずれか１つのアンテナで送信されたMAC制御エレメントが誤りなく受信されればよい。従って、受信側における復号誤りを低減できる。
（第２の実施例）
他の実施例にかかる無線通信装置１００について説明する。本実施例に係る無線通信装置１００が適用される無線通信システムは上述した実施例と同様である。
【００５９】
本実施例に係る無線通信装置１００の構成は、図６を参照して説明した無線通信装置の構成と同様である。また、本実施例に係る無線通信装置１００のMAC処理部１０６の構成は、図７及び図９を参照して説明した構成と同様である。
【００６０】
本実施例に係る無線通信装置１００は、上述した無線通信装置１００とMAC制御エレメント付与部１０６３の処理が異なる。
【００６１】
本実施例に係る無線通信装置１００のMAC制御エレメント付与部１０６３は、MAC制御エレメント処理部１０６２により入力されたMAC制御エレメントから、MAC  SDUに付与するための複数のMAC制御エレメントを生成する。例えば、MAC制御エレメント付与部１０６３は、MAC制御エレメント処理部１０６２により入力されたMAC制御エレメントを分割することにより、複数のMAC制御エレメントを生成するようにしてもよい。例えば、MAC制御エレメント付与部１０６３は、MAC制御エレメントのフィールドを分割する。すなわち、MAC制御エレメント付与部１０６３は、MAC制御エレメントのフィールドに含まれる制御情報自体を分割することにより、複数のMAC制御エレメントを生成する。具体的には、無線通信装置１００が基地局装置に含まれる場合には、MAC制御エレメントに含まれる、ランダムアクセスチャネルメッセージ２、タイミングアドバンス、間欠受信情報及びパディングの各情報が分割される。ここで、一部の情報が分割されるようにしてもよい。言い換えれば、MAC制御エレメントに含まれる、ランダムアクセスチャネルメッセージ２、タイミングアドバンス、間欠受信情報及びパディングの各情報のうち、少なくとも１つの情報が分割される。ここで、例えば、分割の条件は予めシステムで設定される。そして、分割された結果、各MAC  PDUに含まれるMAC制御エレメントは、ヘッダにより示される。また、無線通信装置１００が移動局装置に含まれる場合には、MAC制御エレメントに含まれる、ショートバッファステータスレポート、ロングバッファステータスレポート及びパディングの各情報が分割される。ここで、一部の情報が分割されるようにしてもよい。言い換えれば、MAC制御エレメントに含まれる、ショートバッファステータスレポート、ロングバッファステータスレポート及びパディングの各情報のうち、少なくとも１つの情報が分割される。ここで、例えば、分割の条件は予めシステムで設定される。そして、分割された結果、各MAC  PDUに含まれるMAC制御エレメントは、ヘッダにより示される。例えば、MAC制御エレメント付与部１０６３は、MAC制御エレメントを分割することにより、アンテナの数と同数のMAC制御エレメントを生成するようにしてもよい。また、アンテナ数が３本以上である場合には、分割されるMAC制御エレメントの数が複数であればアンテナ数と同じでなくてもよい。そして、MAC制御エレメント付与部１０６３は、生成した複数のMAC制御エレメントをMAC  PDU生成部１０６４に入力する。
【００６２】
本実施例に係る無線通信装置１００のMAC  PDU生成部１０６４は、MAC  SDU処理部１０６１により入力されたMAC  SDUにMAC制御エレメント付与部１０６３により入力されたMAC制御エレメントを付加し、MAC  PDUを生成する。例えば、MAC  PDU生成部１０６は、MAC  SDUにMAC制御エレメントを付加し、各アンテナで送信するMAC  PDUを生成する。例えば、図１１に示すように、MAC  PDU生成部１０６４は、MAC  SDUにMAC制御エレメントを付加する。そして、MAC  PDU生成部１０６４は、MAC制御エレメントが付加されたMAC  SDUにヘッダを付与し、MAC  PDUを生成する。生成されたMAC  PDUは、トランスポートブロックサイズに加工され、アンテナ毎にPHY処理部１０８に入力される。図１１には、無線通信装置１００が２本のアンテナを有する場合について示される。この場合、２個のMAC  SDUにそれぞれMAC制御エレメント（＃１、＃２）及びヘッダが付加され、MAC  PDUが生成される。ここで、MAC制御エレメント含まれるMAC  PDUが複数であれば、MAC制御エレメントが含まれないMAC  PDUが生成されてもよい。
【００６３】
次に、本実施例に係る無線通信装置１００の動作について説明する。
【００６４】
本実施例に係る無線通信装置１００の動作は、図１０を参照して説明した動作とステップＳ１００４における処理が異なる。
【００６５】
本実施例に係る無線通信装置１００では、MACエレメント付与部１０６３は、ステップＳ１００２において生成されたＭＡＣ制御エレメントを分割することにより、複数のMAC制御エレメントを生成する。例えば、MAC制御エレメント付与部１０６３は、MAC制御エレメントのフィールドに含まれる制御情報自体を分割することにより、複数のMAC制御エレメントを生成する。
【００６６】
本実施例によれば、MAC制御エレメントが分割され、複数のアンテナにより送信されるので、受信側におけるMAC制御エレメントの受信誤りを低減できる。例えば、MAC制御エレメントが送信される複数のアンテナのうち、すべてのアンテナから送信される信号の受信品質がよくなくても、アンテナ毎に誤り訂正が行われるので、他のアンテナで送信されたＭＡＣ制御エレメントの受信品質がよい場合には復号できる場合がある。従って、受信側における復号誤りを低減できる。
（第３の実施例）
他の実施例にかかる無線通信装置１００について説明する。本実施例に係る無線通信装置１００が適用される無線通信システムは上述した実施例と同様である。
【００６７】
本実施例に係る無線通信装置１００の構成は、図６を参照して説明した無線通信装置の構成と同様である。また、本実施例に係る無線通信装置１００のMAC処理部１０６の構成は、図７及び図９を参照して説明した構成と同様である。
【００６８】
本実施例に係る無線通信装置１００は、上述した無線通信装置１００とMAC制御エレメント付与部１０６３の処理が異なる。
【００６９】
本実施例に係る無線通信装置１００のMAC制御エレメント付与部１０６３は、MAC制御エレメント処理部１０６２により入力されたMAC制御エレメントから、MAC  SDUに付与するための複数のMAC制御エレメントを生成する。例えば、MAC制御エレメント付与部１０６３は、MAC制御エレメント処理部１０６２により入力されたMAC制御エレメントを分割することにより、複数のMAC制御エレメントを生成するようにしてもよい。例えば、MAC制御エレメント付与部１０６３は、MAC制御エレメントのフィールドに含まれる制御情報を単位として分割する。具体的には、無線通信装置１００が基地局装置に含まれる場合には、MAC制御エレメントに含まれる、ランダムアクセスチャネルメッセージ２、タイミングアドバンス、間欠受信情報及びパディングの各情報を単位として分割される。言い換えれば、MAC制御エレメントに含まれる制御情報が複数のグループに分けられる。ここで、例えば、分割の条件は予めシステムで設定される。そして、分割された結果、各MAC  PDUに含まれるMAC制御エレメントは、ヘッダにより示される。また、無線通信装置１００が移動局装置に含まれる場合には、MAC制御エレメントに含まれる、ショートバッファステータスレポート、ロングバッファステータスレポート及びパディングの各情報を単位として分割される。ここで、例えば、分割の条件は予めシステムで設定される。そして、分割された結果、各MAC  PDUに含まれるMAC制御エレメントは、ヘッダにより示される。例えば、MAC制御エレメント付与部１０６３は、MAC制御エレメントを分割することにより、アンテナの数と同数のMAC制御エレメントを生成するようにしてもよい。また、アンテナ数が３本以上である場合には、分割されるMAC制御エレメントの数が複数であればアンテナ数と同じでなくてもよい。そして、MAC制御エレメント付与部１０６３は、生成した複数のMAC制御エレメントをMAC  PDU生成部１０６４に入力する。
【００７０】
本実施例に係る無線通信装置１００のMAC  PDU生成部１０６４は、MAC  SDU処理部１０６１により入力されたMAC  SDUにMAC制御エレメント付与部１０６３により入力されたMAC制御エレメントを付加し、MAC  PDUを生成する。例えば、MAC  PDU生成部１０６は、MAC  SDUにMAC制御エレメントを付加し、各アンテナで送信するMAC  PDUを生成する。例えば、図１２に示すように、MAC  PDU生成部１０６４は、MAC  SDUにMAC制御エレメントを付加する。そして、MAC  PDU生成部１０６４は、MACエレメントが付加されたMAC  SDUにヘッダを付与し、MAC  PDUを生成する。生成されたMAC  PDUは、トランスポートブロックサイズに加工され、アンテナ毎にPHY処理部１０８に入力される。図１２には、無線通信装置１００が２本のアンテナを有する場合について示される。この場合、２個のMAC  SDUにそれぞれMAC制御エレメント（MAC制御エレメント＃１、＃２）及びヘッダが付加され、MAC  PDUが生成される。ここで、MAC制御エレメント含まれるMAC  PDUが複数であれば、MAC制御エレメントが含まれないMAC  PDUが生成されてもよい。
【００７１】
次に、本実施例に係る無線通信装置１００の動作について説明する。
【００７２】
本実施例に係る無線通信装置１００の動作は、図１０を参照して説明した動作とステップＳ１００４における処理が異なる。
【００７３】
本実施例に係る無線通信装置１００では、MACエレメント付与部１０６３は、ステップＳ１００２において生成されたＭＡＣ制御エレメントを分割することにより、複数のMAC制御エレメントを生成する。例えば、ＭＡＣ制御エレメントに含まれる制御情報を単位として複数に分割されることにより、複数のMAC制御エレメントが生成される。
【００７４】
本実施例によれば、MAC制御エレメントが、該ＭＡＣ制御エレメントに含まれる制御情報を単位として分割され、複数のアンテナにより送信されるので、受信側におけるMAC制御エレメントの受信誤りを低減できる。例えば、MAC制御エレメントが送信される複数のアンテナのうち、すべてのアンテナから送信される信号の受信品質がよくなくても、アンテナ毎に誤り訂正が行われるので、他のアンテナで送信されたＭＡＣ制御エレメントの受信品質がよい場合には復号できる場合がある。従って、受信側における復号誤りを低減できる。また、送信できるMAC制御エレメントの情報量を増加させることができる。
（第４の実施例）
他の実施例にかかる無線通信装置１００について説明する。本実施例に係る無線通信装置１００が適用される無線通信システムは上述した実施例と同様である。
【００７５】
本実施例に係る無線通信装置１００の構成は、図６を参照して説明した無線通信装置の構成と同様である。また、本実施例に係る無線通信装置１００のMAC処理部１０６の構成は、図７及び図９を参照して説明した構成と同様である。
【００７６】
本実施例に係る無線通信装置１００は、上述した無線通信装置１００とMAC制御エレメント付与部１０６３及び送信部１１０の処理が異なる。
【００７７】
本実施例に係る無線通信装置１００のMAC制御エレメント付与部１０６３は、MAC制御エレメント処理部１０６２により入力されたMAC制御エレメントを送信するアンテナを決定する。MAC制御エレメント付与部１０６３は、MAC制御エレメントをMAC  PDU生成部１０６４に入力する。MAC制御エレメント付与部１０６３は、MAC制御エレメントを送信するアンテナの情報を付与情報として送信部１１０に入力する。
【００７８】
本実施例に係る無線通信装置１００のMAC  PDU生成部１０６４は、MAC  SDU処理部１０６１により入力されたMAC  SDUにMAC制御エレメント付与部１０６３により入力されたMAC制御エレメントを付加し、MAC  PDUを生成する。例えば、MAC  PDU生成部１０６は、MAC  SDUにMAC制御エレメントを付加し、各アンテナで送信するMAC  PDUを生成する。例えば、図１３に示すように、MAC  PDU生成部１０６４は、MAC  SDUにMAC制御エレメントを付加する。そして、MAC  PDU生成部１０６４は、MACエレメントが付加されたMAC  SDUにヘッダを付与し、MAC  PDUを生成する。生成されたMAC  PDUは、トランスポートブロックサイズに加工され、アンテナ毎にPHY処理部１０８に入力される。図１３には、無線通信装置１００が２本のアンテナを有する場合について示される。この場合、２個のMAC  SDUの一方にMAC制御エレメントが付加される。そして、MAC  SDU及びMAC制御エレメントが付加されたMAC  SDUにヘッダが付加され、MAC  PDUが生成される。
【００７９】
本実施例に係る無線通信装置１００の送信部１１０は、MAC制御エレメント付与部１０６３により入力された付与情報に基づいて、該付与情報により指定されたアンテナにより送信される制御情報の送信電力を増加させる。
【００８０】
次に、本実施例に係る無線通信装置１００の動作について、図１４を参照して説明する。
【００８１】
MAC制御エレメント処理部１０６２は、MAC制御エレメントを生成する（ステップＳ１４０２）。
【００８２】
MAC  PDU生成部１０６４は、MAC  SDU処理部１０６１において、各アンテナにおいて生成されたMAC  SDUのうち対応するアンテナのMAC  SDUにMAC制御エレメントを付加する（ステップＳ１４０４）。例えば、対応するアンテナは予め決定されるようにしてもよい。
【００８３】
MAC  PDU生成部１０６４は、MAC  SDU及びMAC制御エレメントが付加されたMAC  SDUにヘッダを付加することにより、MAC  PDUを生成する（ステップＳ１４０６）。
【００８４】
PHY処理部１０８１−１０８ｎは、入力されたMAC  PDUに対して適応変調符号化処理を行う（ステップＳ１４０８）。
【００８５】
送信部１１０は、適応変調符号化処理が行われたMAC  PDUのうち、MAC制御エレメントが含まれるMAC  PDUの送信電力が、他のMAC  PDU（MAC制御エレメント含まれないMAC  PDU）よりも高くなるように送信電力制御を行い送信する（ステップＳ１４１０）。
【００８６】
本実施例では、MAC制御エレメントが含まれるMAC  PDUの数が１個である場合について説明したが、アンテナ数未満の数にMAC制御エレメントが分割され、該分割されたMAC制御エレメントが含まれるMAC  PDUが複数生成されてもよい。この場合、分割は上述した実施例と同様に行われる。この場合、MAC制御エレメントが含まれるMAC  PDUの送信電力が、他のMAC  PDU（MAC制御エレメント含まれないMAC  PDU）よりも高くなるように送信電力制御が行われるようにしてもよい。
【００８７】
本実施例によれば、MAC制御エレメントが含まれるMAC  PDUの送信電力が高くなるように制御されるため、MAC制御エレメントの受信品質を向上させることができる。このため、受信側において、MAC制御エレメントの受信誤りを低減できる。
（第５の実施例）
他の実施例にかかる無線通信装置１００について説明する。本実施例に係る無線通信装置１００が適用される無線通信システムは上述した実施例と同様である。
【００８８】
本実施例に係る無線通信装置１００の構成は、図６を参照して説明した無線通信装置の構成と同様である。また、本実施例に係る無線通信装置１００のMAC処理部１０６の構成は、図７及び図９を参照して説明した構成と同様である。
【００８９】
本実施例に係る無線通信装置１００は、上述した無線通信装置１００とMAC  PDU生成部１０６４の処理が異なる。
【００９０】
本実施例に係る無線通信装置１００のMAC  PDU生成部１０６４は、MAC  SDU処理部１０６１により入力されたMAC  SDUにMAC制御エレメント付与部１０６３により入力されたMAC制御エレメントを付加し、MAC  PDUを生成する。例えば、MAC  PDU生成部１０６は、MAC  SDUにMAC制御エレメントを付加し、各アンテナで送信するMAC  PDUを生成する。例えば、MAC  PDU生成部１０６４は、MAC  SDUに付加された優先度情報に基づいて、MAC  SDUにMAC制御エレメントを付加する。例えば、無線通信装置１００が基地局装置に含まれる場合には、上位局からの送信データ(MAC  SDU)に優先度情報が含まれる。また、無線通信装置１００が移動局装置に含まれる場合には、該移動局装置により送信する送信データ(MAC  SDU)に優先度情報が含まれる。MAC  PDU生成部１０６４は、MAC  SDUに付加された優先度情報に基づいて、該優先度が高いMAC  SDUにMAC制御エレメントを付加する。
【００９１】
例えば、図１５に示すように、MAC  PDU生成部１０６４は、含まれる優先度情報により示される優先度が高いMAC  SDUにMAC制御エレメントを付加する。そして、MAC  PDU生成部１０６４は、MAC  SDU及びMAC制御エレメントが付加されたMAC  SDUにヘッダを付与し、MAC  PDUを生成する。生成されたMAC  PDUは、トランスポートブロックサイズに加工され、アンテナ毎にPHY処理部１０８に入力される。図１５には、無線通信装置１００が２本のアンテナを有する場合について示される。この場合、２個のMAC  SDUの一方にMAC制御エレメントが付加される。そして、MAC  SDU及びMAC制御エレメントが付加されたMAC  SDUにヘッダが付加され、MAC  PDUが生成される。図１５には、アンテナ２により送信されるMAC  SDUの優先度の方が、アンテナ１により送信されるMAC  SDUの優先度よりも高い場合について示される。
【００９２】
次に、本実施例に係る無線通信装置１００の動作について、図１６を参照して説明する。
【００９３】
MAC制御エレメント処理部１０６２は、MAC制御エレメントを生成する（ステップＳ１６０２）。
【００９４】
MAC  PDU生成部１０６４は、MAC  SDU処理部１０６１において、各アンテナにおいて生成されたMAC  SDUに含まれる優先度情報のうち、該優先度が高いMAC  SDUにMAC制御エレメントを付加する（ステップＳ１６０４）。
【００９５】
MAC  PDU生成部１０６４は、MAC  SDU及びMAC制御エレメントが付加されたMAC  SDUにヘッダを付加することにより、MAC  PDUを生成する（ステップＳ１６０６）。
【００９６】
PHY処理部１０８１−１０８ｎは、入力されたMAC  PDUに対して適応変調符号化処理を行う（ステップＳ１６０８）。
【００９７】
送信部１１０は、適応変調符号化処理が行われたMAC  PDUに対して送信電力制御を行い送信する（ステップＳ１６１０）。
【００９８】
本実施例によれば、優先度情報に示される優先度に応じて、受信側における受信品質がよくなるように送信される。従って、高い優先度情報が付加されたMAC  SDUにMAC制御エレメントを付加することにより、該MAC制御エレメントは、受信品質がよくなる条件で送信されるので、MAC制御エレメントの受信品質を向上させることができる。このため、受信側において、MAC制御エレメントの受信誤りを低減できる。
（第６の実施例）
他の実施例にかかる無線通信装置１００について説明する。本実施例に係る無線通信装置１００が適用される無線通信システムは上述した実施例と同様である。
【００９９】
本実施例に係る無線通信装置１００の構成は、図６を参照して説明した無線通信装置の構成と同様である。また、本実施例に係る無線通信装置１００のMAC処理部１０６の構成は、図７及び図９を参照して説明した構成と同様である。
【０１００】
本実施例に係る無線通信装置１００は、上述した無線通信装置１００とMAC  PDU生成部１０６４及びPHY処理部１０８１−１０８ｎの処理が異なる。
【０１０１】
本実施例に係る無線通信装置１００のMAC  PDU生成部１０６４は、MAC制御エレメント付与部１０６３において上述した第１−第４の実施例と同様の方法により生成されたMAC制御エレメントを、該当するアンテナに割り当て、対応するPHY処理部１０８１−１０８ｎに入力する。言い換えれば、MAC  PDU生成部１０６４は、MAC制御エレメント付与部１０６３により入力されたMAC制御エレメントにヘッダを付加し、MAC  PDUを生成する。例えば、MAC  PDU生成部１０６は、MAC制御エレメントから、各アンテナで送信するMAC  PDUを生成する。すなわち、本実施例に係る無線通信装置１００では、MAC制御エレメントのみが送信される。
【０１０２】
例えば、図１７に示すように、MAC  PDU生成部１０６４は、MAC制御エレメントにヘッダを付与し、MAC  PDUを生成する。生成されたMAC  PDUは、トランスポートブロックサイズに加工され、アンテナ毎にPHY処理部１０８に入力される。図１７には、無線通信装置１００が２本のアンテナを有する場合について示される。この場合、２個のMAC制御エレメントにヘッダが付加され、MAC  PDUが生成される。
【０１０３】
本実施例に係る無線通信装置１００のPHY処理部１０８１−１０８ｎは、入力されたMAC  PDUを小さい値の符号化率で符号化処理を行う。
【０１０４】
例えば、図１７に示すように、PHY処理部１０８１−１０８ｎは、MAC  PDU生成部１０６４により入力されたMAC  PDUに対して適応変調符号化処理を行う。例えば、PHY処理部１０８１−１０８ｎは、小さい値の符号化率で符号化処理を行う。
【０１０５】
次に、本実施例に係る無線通信装置１００の動作について、図１８を参照して説明する。
【０１０６】
MAC制御エレメント処理部１０６２は、MAC制御エレメントを生成する（ステップＳ１８０２）。
【０１０７】
MAC制御エレメント付与部１０６３は、ステップＳ１００２において生成されたＭＡＣ制御エレメントから、複数のMAC制御エレメントを生成する（ステップＳ１８０４）。
【０１０８】
MAC  PDU生成部１０６４は、MAC制御エレメントにヘッダを付加することにより、MAC  PDUを生成する（ステップＳ１８０６）。
【０１０９】
PHY処理部１０８１−１０８ｎは、入力されたMAC  PDUに対して適応変調符号化処理を行う（ステップＳ１８０８）。例えば、PHY処理部１０８１−１０８ｎは、小さい値の符号化率で符号化処理を行う。
【０１１０】
送信部１１０は、適応変調符号化処理が行われたMAC  PDUに対して送信電力制御を行い送信する（ステップＳ１８１０）。
【０１１１】
本実施例によれば、MAC制御エレメントに対して小さい符号化率で符号化処理が行われるので、受信側におけるMAC制御エレメントの受信誤りを低減できる。
（付記１）
複数のアンテナを用いてデータの送信を行う無線通信装置であって、
生成したデータリンク層制御情報から、複数のデータリンク層制御情報を生成するデータリンク層制御情報生成手段と、
前記データリンク層制御情報生成手段により生成されたデータリンク層制御情報に基づいて、複数のアンテナで送信する、前記データリンク層制御情報が含まれる第１のデータユニットを生成する第１のデータユニット生成手段と、
前記第１のデータユニットに対して適用変調符号化処理を行う物理層処理手段と
を有することを特徴とする無線通信装置。
（付記２）
複数のアンテナを用いてデータの送信を行う無線通信装置であって、
生成されたデータリンク層制御情報に基づいて、該データリンク層制御情報が含まれる第１のデータユニットを生成する第１のデータユニット生成手段と、
前記第１のデータユニットに対して適用変調符号化処理を行う物理層処理手段と、
前記第１のデータユニットに、データリンク層制御情報が含まれない他の第１のデータユニットよりも高い送信電力を割り当てる送信電力制御手段と
を有することを特徴とする無線通信装置。
（付記３）
複数のアンテナを用いてデータの送信を行う無線通信装置であって、
生成されたデータリンク層制御情報に基づいて、該データリンク層制御情報が含まれる第１のデータユニットを生成する第１のデータユニット生成手段と、
前記第１のデータユニットに対して適用変調符号化処理を行う物理層処理手段と
を有し、
前記第１のデータユニット生成手段は、第２のデータユニットに含まれる優先度情報に基づいて第２のデータユニットにデータリンク層制御情報を付加することにより第１のデータユニットを生成することを特徴とする無線通信装置。
（付記４）
付記１ないし３のいずれか１項に記載の無線通信装置において、
前記データリンク層制御情報には、MAC制御エレメントが含まれることを特徴とする無線通信装置。
（付記５）
付記４に記載の無線通信装置において、
前記MAC制御エレメントには、ランダムアクセスチャネルメッセージ２、タイミングアドバンス、間欠受信情報及びパディングのうち少なくとも１つが含まれることを特徴とする無線通信装置。
（付記６）
付記４に記載の無線通信装置において、
前記MAC制御エレメントには、ショートバッファステータスレポート、ロングバッファステータスレポート及びパディングのうち少なくとも１つの情報が含まれることを特徴とする無線通信装置。
（付記７）
付記１に記載の無線通信装置において、
前記データリンク層制御情報生成手段は、生成したデータリンク層制御情報を複製することにより、複数のデータリンク層制御情報を生成することを特徴とする無線通信装置。
（付記８）
付記１に記載の無線通信装置において、
前記データリンク層制御情報生成手段は、生成したデータリンク層制御情報を分割することにより、複数のデータリンク層制御情報を生成することを特徴とする無線通信装置。
（付記９）
付記８に記載の無線通信装置において、
前記データリンク層制御情報生成手段は、データリンク層制御情報のフィールドに含まれる制御情報を分割することにより、複数のデータリンク層制御情報を生成することを特徴とする無線通信装置。
（付記１０）
付記８に記載の無線通信装置において、
前記データリンク層制御情報生成手段は、データリンク層制御情報のフィールドに含まれる制御情報を単位として分割することにより、複数のデータリンク層制御情報を生成することを特徴とする無線通信装置。
（付記１１）
付記１に記載の無線通信装置において、
前記物理層処理手段は、前記複数のアンテナで送信する第１のデータユニットのうち、データリンク層制御情報のみが含まれる第１のデータユニットに、他の第１のデータユニットよりも低い符号化率で符号化処理を行うことを特徴とする無線通信装置。
（付記１２）
複数のアンテナを用いてデータの送信を行う無線通信装置における通信方法であって、
生成したデータリンク層制御情報から、複数のデータリンク層制御情報を生成し、
該生成されたデータリンク層制御情報に基づいて、複数のアンテナで送信する、前記データリンク層制御情報が含まれる第１のデータユニットを生成し、
前記第１のデータユニットに対して適用変調符号化処理を行う
ことを特徴とする通信方法。
（付記１３）
複数のアンテナを用いてデータの送信を行う無線通信装置における通信方法であって、
生成されたデータリンク層制御情報に基づいて、該データリンク層制御情報が含まれる第１のデータユニットを生成し、
前記第１のデータユニットに対して適用変調符号化処理を行い、
前記第１のデータユニットに、データリンク層制御情報が含まれない他の第１のデータユニットよりも高い送信電力を割り当てる
ことを特徴とする無線通信方法。
（付記１４）
複数のアンテナを用いてデータの送信を行う無線通信装置における通信方法であって、
第２のデータユニットに含まれる優先度情報に基づいて、該優先度が高い第２のデータユニットにデータリンク層制御情報を付加することにより、該データリンク層制御情報が含まれる第１のデータユニットを生成し、
前記第１のデータユニットに対して適用変調符号化処理を行う
ことを特徴とする通信方法。
【符号の説明】
【０１１２】
１００  無線通信装置
１０２  上位層処理部
１０４  RLC処理部
１０６  MAC処理部
１０８（１０８１−１０８ｎ）  PHY処理部
１１０  送信部
１０６１  MAC  SDU処理部
１０６２  MAC制御エレメント処理部
１０６３  MAC制御エレメント付与部
１０６４  MAC  PDU生成部
１０６５  スケジューラ
１０６６  再送制御部
【図１】
0005594383.tif 000002
【図２】
0005594383.tif 000003
【図３】
0005594383.tif 000004
【図４】
0005594383.tif 000005
【図５】
0005594383.tif 000006
【図６】
0005594383.tif 000007
【図７】
0005594383.tif 000008
【図８】
0005594383.tif 000009
【図９】
0005594383.tif 000010
【図１０】
0005594383.tif 000011
【図１１】
0005594383.tif 000012
【図１２】
0005594383.tif 000013
【図１３】
0005594383.tif 000014
【図１４】
0005594383.tif 000015
【図１５】
0005594383.tif 000016
【図１６】
0005594383.tif 000017
【図１７】
0005594383.tif 000018
【図１８】
0005594383.tif 000019